(57)【要約】【課題】  電力会社等の設備の監視制御は、所管する監視制御装置の制御所等の監視制御システムで分散して行われ、所管する設備が更新された場合には、監視制御システムの設備属性データを更新している。しかし、電力系統の境目等に配置された設備は、複数の制御所等における監視制御の対象となっており、それぞれの制御所の監視制御システムにおいて設備属性のデータを更新しているため、経費面および作業面の負担が大きかった。【解決手段】  それぞれの制御所等が保持していた設備属性のデータを、単一の設備属性データベースに統合して所管する制御所の担当者が管理を行い、他の制御所における監視制御システムを自動的に更新させることで、経費面および作業面の負担を軽減する。【選択図】      図７
2010011561.tif 000002
【特許請求の範囲】
【請求項１】
電力系統に分散して配置した監視制御システムの制御所が、夫々に所管する設備の監視制御を行う分散型監視制御システムであって、
夫々の制御所が所管する設備の属性のデータを、該設備を監視制御の対象とする制御所の情報と関連付けて、単一の設備属性データベースに保存する設備属性入力手段と、
制御所の監視制御システムのモニタに表示される入力領域に、該制御所が所管する設備に生じた属性の変更情報である変更データを入力する変更データ入力手段と、
前記入力された変更データに基づいて、前記設備属性データベースが保持する該設備の設備属性データを更新する設備属性更新手段と、
前記設備属性データが更新された設備を監視制御の対象とする制御所のデータである使用先情報を検出する使用先情報検出手段と、
前記使用先情報として検出された制御所の監視制御システムに対して、該設備の監視制御を行うための監視制御データを更新する監視制御データ更新手段と、
を備えることを特徴とする分散型監視制御システム。
【請求項２】
前記使用先情報は、夫々の制御所における監視制御システムの監視制御画面に表示される設備の画面シンボルを定義した画面定義情報に基づく情報であって、
夫々の制御所における監視制御システムから、画面定義情報を取得する画面定義情報入力手段を備えることを特徴とする請求項１記載の分散型監視制御システム。
【請求項３】
前記監視制御データ更新手段は、前記設備属性データベースにおける設備属性データの更新を受けて、前記使用先情報として検出された制御所の監視制御システムに対して、該設備の監視制御を行うための監視制御データを更新するデータ更新ファイルを生成して伝送を行うことを特徴とし、
前記データ更新ファイルの伝送を受けた制御所の監視制御システムにおいて、設備の監視制御のための監視制御データを自動的に更新するデータ更新ファイル実行手段を備えることを特徴とする請求項１又は２記載の分散型監視制御システム。
【請求項４】
前記データ更新ファイルは、制御所における監視制御システム以外の他のシステムも更新可能であることを特徴とする請求項１乃至３のいずれか一に記載の分散型監視制御システム。
【請求項５】
前記設備属性更新手段により更新された設備属性データについて、前記使用先情報として検出された制御所における確認試験を代替して行う確認試験代替手段を備え、
確認試験の結果に基づいて前記設備属性データベースにおけるデータの更新を確定することを特徴とする請求項１乃至４のいずれか一に記載の分散型監視制御システム。
【請求項６】
請求項１乃至５のいずれか一に記載の分散型制御システムにおけるデータの更新方法であって、
夫々の制御所が所管する設備の属性データを、単一の設備属性データベースに統合し、
制御所の監視制御システムの監視対象とした設備の属性データの変更入力に基づき、前記設備属性データベースにおける該設備の属性データの更新を行い、
前記設備属性データベースにおける該設備の属性データの更新内容に基づき、該設備を監視制御の対象とする制御所の監視制御システムにおいて、監視制御に必要な監視制御データを更新することを特徴とするデータの更新方法。
【発明の詳細な説明】
【技術分野】
【０００１】
監視制御システムにより電力系統に配置した設備の監視制御を行う分散型監視制御システムにおいて、設備の更新を効率的に行うことができるシステム及び方法に関する。
【背景技術】
【０００２】
従来から、電気事業所の電力系統は、各所に設置された制御所等の監視制御システムにより、設備等の監視制御が分散して行われている。それぞれのシステムは独立しており、設備等のデータのメンテナンスは、それぞれの制御所等における監視制御システムの管理画面で行われている。
【０００３】
しかし、電力系統の境目等に配置された設備では、複数の制御所等から相互に監視されており、その設備の更新工事では、関係する複数の監視制御システムで設備等のデータのメンテナンスが必要となる。
【０００４】
従来においては、ある制御所の監視制御システムが所管する設備の更新工事に伴い、他の制御所の監視制御システムへのデータ更新の依頼は、監視制御システムのメンテナンスの担当者により行われていたため、正確性に問題があった。
【０００５】
そのため、監視制御システムにおける設備等のデータの更新を、ネットワークに接続されたデータベースに反映させる技術等が提案されている（例えば、特許文献１、特許文献２を参照）。
【特許文献１】特開２００３−０３２９１６号公報
【特許文献２】特開平０９−３０８１３８号公報
【発明の開示】
【発明が解決しようとする課題】
【０００６】
電気事業者の発電所、変電所等における電力系統の監視制御は、一般に遠隔監視制御装置（ＴＣ）を制御する制御所の監視制御システムにおいて、遮断器（ＣＢ）、断路器（ＬＳ）、ラインアース（ＬＥ）等の設備の状態や計測情報を遠隔監視制御装置（ＴＣ）から取得し、それらの設備の「入」「切」等の制御情報を送信することで行われている。
【０００７】
具体的には、設備の監視については、遠隔監視制御装置（ＴＣ）から伝送されてくる設備情報を、画面シンボルに定義された監視制御データに基づいて、監視制御システムの監視制御画面に状態を出画することで行う。一方、設備の制御については、監視制御システムの監視制御画面からのオペレーション信号を、画面シンボルに定義された監視制御データに基づいて、該当する遠隔監視制御装置（ＴＣ）に伝送することで行う（図１）。
【０００８】
しかし、監視対象は電力系統の構成により、隣接する制御所の設備の状態を取り込む必要があり、自所が所管する設備に加えて他の制御所が所管する設備の属性データも必要となる。
【０００９】
従来の方法では、電力系統の境目等において設備の更新工事等があった場合には、当該設備の属性データを使用するすべての制御所等の監視制御システムをメンテナンスする必要があるため、多くの経費が発生していた（図２）。
【００１０】
図３に従来方法の業務フローを示す。自所の設備が更新された制御所２の監視制御システムの担当者は（Ｓ３０１）、更新された設備について、関係する他の制御所等にソースデータの更新を依頼する作業が発生していた（Ｓ３０２）。また、更新依頼を受けた他の制御所等の担当者にも、ソースデータの更新（Ｓ３０３）、オブジェクトデータへの変換（Ｓ３０４）、確認試験等の処理が必要であり（Ｓ３０５）、作業面で大きな負担となっていた。
【００１１】
本発明は、かかる事情に鑑みてなされたものであり、分散型監視制御システム内に単一の設備属性データベースを設置することで、更新された設備の属性データのメンテナンスを一括して管理して、すべての制御所等の監視制御システムにおける監視制御データの更新を行うことで、安全・確実にデータの更新を行うとともに、経費の抑制および作業者の負担軽減を可能とする分散型監視制御システム及び他システムの監視制御データの更新方法を提供することを目的とする。
【課題を解決するための手段】
【００１２】
本発明の分散型監視制御システムは、電力系統に分散して配置した監視制御システムの制御所が、夫々に所管する設備の監視制御を行う分散型監視制御システムであって、夫々の制御所が所管する設備の属性のデータを、該設備を監視制御の対象とする制御所の情報と関連付けて、単一の設備属性データベースに保存する設備属性入力手段と、制御所の監視制御システムのモニタに表示される入力領域に、該制御所が所管する設備に生じた属性の変更情報である変更データを入力する変更データ入力手段と、前記入力された変更データに基づいて、前記設備属性データベースが保持する該設備の設備属性データを更新する設備属性更新手段と、前記設備属性データが更新された設備を監視制御の対象とする制御所のデータである使用先情報を検出する使用先情報検出手段と、前記使用先情報として検出された制御所の監視制御システムに対して、該設備の監視制御を行うための監視制御データを更新する監視制御データ更新手段と、を備えることを特徴とする。
【００１３】
ここで「設備」とは、変圧器、母線、送電線等の設備に限らず、ワード、ビット等の伝送系、開閉器、４３ＳＷ等の機器、電気所、事業所等の施設も含むものである。「属性」とは、発電所、変電所等が保持する設備の性能や機能を示す情報であって、設備の運転状況に関する情報を意味するものではない。
【００１４】
また「単一の設備属性データベース」は、ネットワークを介して接続する独立したコンピュータサーバに保持するほか、いずれかの制御所等の監視制御システムのサーバ機器において保持することもできる。
【００１５】
さらに、本発明の分散型監視制御システムでは、前記使用先情報は、夫々の制御所における監視制御システムの監視制御画面に表示される設備の画面シンボルを定義した画面定義情報に基づく情報であって、夫々の制御所における監視制御システムから、画面定義情報を取得する画面定義情報入力手段を備えることを特徴とする。
【００１６】
つまり、夫々の制御所等の監視制御システムでは、監視制御を行うために設備属性データ等の監視制御データを保持するが、監視制御画面において設備を示す画面シンボルと監視制御データの関係を定義するべく画面定義情報を保持する。
【００１７】
画面シンボルには、自所が所管する設備以外の設備も含むため、夫々の制御所等の監視制御システムにおける画面定義情報を取得することにより、個別の設備を監視制御の対象とする使用先情報を検出することができる。
【００１８】
また、本発明の分散型監視制御システムにおいて、前記監視制御データ更新手段は、前記設備属性データベースにおける設備属性データの更新を受けて、前記使用先情報として検出された制御所の監視制御システムに対して、該設備の監視制御を行うための監視制御データを更新するデータ更新ファイルを生成して伝送を行うことを特徴とし、前記データ更新ファイルの伝送を受けた制御所の監視制御システムにおいて、設備の監視制御のための監視制御データを自動的に更新するデータ更新ファイル実行手段を備えることを特徴とする。
【００１９】
すなわち、制御所の監視制御システムにおける監視制御データを更新する方法として、設備属性データベースにおける設備属性データの更新を受けて、更新された設備の属性データに基づきデータ更新ファイルを生成して、使用先情報により検出された制御所の監視制御システムに伝送することにより行う。
【００２０】
これにより、制御所の監視制御システムにおける監視制御データの更新を迅速に行うことができる。
【００２１】
データ更新ファイルについても、たとえば自己実行型のファイル形式等にすることで、さらに迅速に処理を行うことができる。
【００２２】
また、本発明の分散型監視制御システムにおける前記データ更新ファイルは、制御所における監視制御システム以外の他のシステムも更新可能であることを特徴とする。
【００２３】
すなわち、データ更新ファイルの生成方法の定義を個別に行うことで、制御所以外の制御中継所等においても、対応可能となる。
【００２４】
さらに、本発明の分散型監視制御システムは、前記設備属性更新手段により更新された設備属性データについて、前記使用先情報として検出された制御所における確認試験を代替して行う確認試験代替手段を備え、確認試験の結果に基づいて前記設備属性データベースにおけるデータの更新を確定することを特徴とする。
【００２５】
これにより、夫々の制御所等において行う確認試験を省略することが可能であり、経費面および期間の面でメリットを有する。
【００２６】
なお、確認試験については、更新された設備を所管する制御所の監視制御システム、または、メンテナンスサーバ等において実行することが可能である。
【００２７】
また、本発明の分散型監視制御システムにおけるデータの更新方法は、夫々の制御所が所管する設備の属性データを、単一の設備属性データベースに統合し、制御所の監視制御システムの監視対象とした設備の属性データの変更入力に基づき、前記設備属性データベースにおける該設備の属性データの更新を行い、前記設備属性データベースにおける該設備の属性データの更新内容に基づき、該設備を監視制御の対象とする制御所の監視制御システムにおいて、監視制御に必要な監視制御データを更新することを特徴とする。
【発明の効果】
【００２８】
本発明の分散型監視制御システム及び分散型監視制御システムにおける設備のデータの更新方法によれば、設備を更新した制御所のみが設備属性のデータの更新を行えばよく、他の制御所における確認試験も省略できるので、メンテナンス費用を削減することができる。
【００２９】
また、複数の制御所における監視制御システムで、同時に最新データへの切り替えを行うことができる。
【００３０】
さらに、データの更新作業を、設備を所管する制御所に一本化を行うことができ、データの信頼性を向上することができる。
【発明を実施するための最良の形態】
【００３１】
以下、本発明の一実施形態を、図面を参照しながら説明する。
図４は、本実施形態の分散型監視制御システムの概要を示したシステム構成図である。分散型監視制御システムは、監視制御システムを用いて設備の監視制御を行う複数の制御所１（４）、２（５）、１１（１１）等、および、それらの制御所の中継およびバックアップを行う制御中継所１（１２）等と相互にネットワーク３で接続する。
【００３２】
制御所１（４）、２（５）、１１（１１）等および制御中継所１（１２）等には、それぞれに監視制御システムを備え、ＭＰ、ＳＤＸ、ＤＸ等の装置とメンテナンス端末から構成されている。保守拠点であるメンテナンスサーバ２は、ネットワーク３を介してそれぞれの制御所等が備える監視制御システムの保守を行う。
【００３３】
なお、メンテナンスサーバ２の管理は通常のネットワーク３を介して、制御所等により行うことができるが、図４に示すシステム構成では、メンテナンスサーバ２を、異なるネットワーク１３を介してメンテナンス会社１４のメンテナンス端末から接続することとしている。これにより、制御所等以外からでもメンテナンスサーバ２の管理を可能とする。
【００３４】
次に、図５の本実施形態にかかる分散型監視制御システム１の業務フローのイメージを、従来の方法を示す図２と比較して説明する。
【００３５】
図２の従来の方法では、制御所２が所管する設備が更新された場合には、制御所２の担当者が監視制御システムの管理画面において、設備の属性に関するソースデータのメンテナンス作業を行い、その設備を監視制御の対象とする他の制御所の担当者に対し、設備の更新箇所についてのデータ更新依頼を行う必要があった。
【００３６】
さらに、データ更新依頼を受けた他の制御所の担当者は、制御所２の担当者と同様に、監視制御システムの管理画面で、ソースデータのメンテナンス等の作業を行う必要があった。
【００３７】
一方、図５の本実施形態にかかる分散型監視制御システムでは、それぞれの制御所の監視制御システムが保持していた設備の属性に関するソースデータを単一のＤＢ（設備属性データベース）に統合して、先述のメンテナンスサーバ２が管理を行う。
【００３８】
これにより、制御所２の担当者は、単一の設備属性データベースが保持するデータに対し、更新が必要な設備の属性に関するソースデータのメンテナンスを行う。設備属性データベースにおける設備属性データの更新を受けて、その設備を監視制御の対象とする他の制御所等の監視制御システムに対して、更新があった該当箇所が自動反映される。
【００３９】
なお、図２および図５では、ソースデータとオブジェクトデータを異なるデータベースとして表現するが、これは説明を行う便宜上の取り扱いであって、図２におけるデータ更新に際して、ソースデータの更新とオブジェクトデータへの変換は一連の作業として捉えることもできる。したがって、それぞれの制御所における監視制御システムのデータベースから設備属性のソースデータのみを分離して、単一のデータベースに統合したものと捉えることもできる。
【００４０】
図６では、従来の方法を示す図３との比較において、本実施形態の分散型監視制御システム１の業務フローを説明する。
【００４１】
上述の通り、図３の従来の方法では、制御所２が所管する設備の更新に対し、他の制御所等においてもソースデータのメンテナンスを行い、さらに、それぞれの制御所が確認試験を行っていた。
【００４２】
一方、図６の本実施形態に係る分散型監視制御システム１では、制御所２の担当者が自所の監視制御システム５を通じて設備属性データベースが保持する設備属性データの更新を行い（Ｓ４０１）、さらに、オブジェクトデータへの変換（Ｓ４０３）および確認試験を行う（Ｓ４０４）。
【００４３】
その後、確認試験が完了した更新内容により、メンテナンスサーバ２が保持する設備属性データベースによりデータ更新ファイルが自動作成されて、制御所１および他システムに自動配信される（Ｓ４０５）。
【００４４】
配信されたデータ更新ファイルは、制御所１、他システムの監視制御システムの管理画面においてオブジェクトデータに変換されて（Ｓ４０６）、オブジェクトデータを切り替える（Ｓ４０７）。
【００４５】
なお、図６では説明の便宜上、制御所２において行われるように表示するが、実際の設備属性データベースの更新およびデータ更新ファイルの自動作成・自動配信は、本実施形態においては設備属性データベースを管理するメンテナンスサーバ２において行われる。
【００４６】
図７は、本実施形態の分散型監視制御システム１の機能ブロック図である。
分散型監視制御システム１は、制御所１の監視制御システム（４）、制御所２の監視制御システム（５）等と通信ネットワーク３を介して接続するメンテナンスサーバ２により構成されている。なお、図示はしていないが、通信ネットワーク３からは、他の制御所および制御中継所等とも接続している。
【００４７】
さらに、制御所１の監視制御システム（４）は通信ネットワーク３を介して遠隔監視制御装置（ＴＣ）１（４６）と接続し、制御ケーブル６で繋がる設備１１（４７）、設備１２（４８）、設備１３（４９）等の監視制御を行う。
【００４８】
同様に、制御所２の監視制御システム（５）は通信ネットワーク３を介して遠隔監視制御装置（ＴＣ）２（５６）と接続し、制御ケーブル７で繋がる設備２１（５７）、設備２２（５８）、設備２３（５９）等の監視制御を行う。
【００４９】
制御所１の監視制御システム（４）および制御所２の監視制御システム（５）の中央演算処理部４２、５２には、監視制御システムを備えるほか、所管する設備が更新された場合に、該当設備の変更データを入力する変更データ入力手段４２１、５２１、更新された設備属性データの適正の判断を行う確認試験代替手段４２２、５２２、送信を受けたデータ更新ファイルにより、データ更新ファイルを自動的に実行するデータ更新ファイル実行手段４２３、５２３を備える。
【００５０】
記憶部４３、５３には、監視制御の対象となる設備の属性等のデータである監視制御データ等を保持する。
【００５１】
出力部４５、５５のモニタには、接続する設備の監視制御を行う監視制御画面と、監視制御システムの管理を行う管理画面の２種類の操作画面を備える。
監視制御画面では、電力系統に繋がる設備を示す画面シンボルが表示され、記憶部４３、５３が保持する監視制御データの設備属性に基づいて、画面シンボルにより設備の状況が表示される。
【００５２】
また、監視制御画面に表示される設備の画面シンボルと、対応する設備の監視制御データとのリンクによる関係を定義する画面定義情報を、記憶部４３、５３に保持する。
【００５３】
図８には画面定義情報の構成例を示す。監視制御画面（図１）は、遠隔監視制御装置（ＴＣ）１（４６）等から伝送される設備情報を、設備属性のデータに基づいて出画する。図８に示す画面定義情報の例では、１０１，１０２等の監視制御画面に表示されるシンボルの要素番号と、後述の設備属性ＤＢ２３１（図９）が備える設備の名称（識別情報）とのリンクの定義を行い、あわせて設備を所管する制御所のデータも保持することとしている。
【００５４】
なお、本例における監視制御画面への表示は、制御所の監視制御システムが保持する電力系統を構成するノードとブランチの接続状態を示すデータに基づいて行うこととする。
【００５５】
すなわち、画面定義情報にしたがって、自所の設備のシンボル（ノード）を画面表示すると共に、そのシンボルと送配電線（ブランチ）によって接続する他所の設備のシンボルについても画面表示を行う。他所の設備の状態情報については、他所から通信回線または電話連絡によって取得し、画面に反映する。
【００５６】
メンテナンスサーバ２は、通信ネットワーク３と接続する送受信部２１、制御所等の監視制御システムのメンテナンスに関する演算処理等を行う中央演算処理部２２、制御所の設備等のデータを保持する記憶部２３、データを入力するキーボード等の入力部２４およびデータを出力する表示装置あるいはプリンタ等の出力部２５から構成されている。
【００５７】
図７において、メンテナンスサーバ２の送受信部２１は、通信ネットワーク３を介して、制御所１の監視制御システム（４）、制御所２の監視制御システム（５）等に接続する。
【００５８】
記憶部２３は、制御所１、制御所２等が所管する設備の属性の情報を保持する設備属性ＤＢ２３１、制御所１、制御所２等が監視制御を行う設備等の情報を保持する制御所ＤＢ２３２等により構成されている。
【００５９】
中央演算処理部２２は、送受信部２１との間でデータの受け渡しを行う送受信処理手段２２１、入力部２４または出力部２５とデータの受け渡しを行う入出力処理手段２２２、それぞれの制御所が所管する設備の属性データを入力する設備属性入力手段２２３、それぞれの制御所が監視制御の対象とする設備のデータを入力する画面定義情報入力手段２２４、所管する設備属性の変更データに基づいてデータベースを更新する設備属性更新手段２２５、設備属性データが更新された設備を監視制御の対象とする、他の制御所のデータを検出する使用先情報検出手段２２６、設備属性データが更新された設備を監視制御の対象とする他の制御所における監視制御システムの監視制御データを更新する監視制御データ更新手段２２７等を備える。
【００６０】
次に、記憶部２３が保持するデータベースの構成例について説明する。
図９に示す設備属性ＤＢ２３１には、制御所１、制御所２等の制御所が所管する設備の属性データを保存する。
【００６１】
これらの設備の属性に関する情報は、設備を所管するそれぞれの制御所が保持すべき情報であるが、本実施形態では単一の設備属性データベースとして、メンテナンスサーバ２の記憶部２３に保持する。
【００６２】
具体的には、それぞれの設備の識別情報に関連付けて、その設備を所管する制御所の識別情報と、設備の属性情報、すなわち、開閉器・断路器等の設備の種別、開閉器の例では開閉能力、給電番号、遮断電流等の設備の持つ性能等や、警報出力、色替範囲、インターロック対象、復旧手順等の機能に関する各種フラグ等の情報を保持する。
【００６３】
図１０に示す制御所ＤＢ２３２には、制御所１、制御所２等の制御所が監視制御の対象とする設備のデータ等を保存する。
【００６４】
ここで、それぞれの制御所が監視制御の対象とする設備は、その制御所が所管する設備に限らず、他の制御所等が所管する設備も含まれる。これは、制御所における監視制御の対象は、電力系統構成により、隣接する制御所が所管する設備の状態を取り込む必要があるからである。
【００６５】
具体的には、それぞれの制御所の監視制御システムが備える監視制御画面には電力系統図と系統に繋がる設備の画面シンボルが表示されるが、監視制御システムは、それらの監視制御画面を表示するために設備の画面シンボルを定義する画面定義情報を保持する。
【００６６】
メンテナンスサーバ２は、それぞれの制御所の監視制御システムから画面定義情報を取得し、画面定義情報テーブルに保持する。さらに画面定義情報を設備ごとに集計した使用先情報テーブルにより、個別の設備を単位として、監視制御の対象とする制御所の情報を管理する。
【００６７】
次に、本実施形態の分散型監視制御システム１におけるデータベースの構築から運用にいたるフローを図１１に沿って説明する。
【００６８】
はじめに、従前のシステムにおいては、それぞれの制御所の監視制御システムが保持していた所管する設備のデータから、設備属性に関するソースデータを分離する（Ｓ１０１）。分離した設備属性データはメンテナンスサーバ２に伝送される（Ｓ１０２）。
【００６９】
メンテナンスサーバ２は、それぞれの制御所から伝送された設備属性データを統合して、すべての制御所における単一の設備属性データベースを構築する（Ｓ１０３）。
【００７０】
なお、メンテナンスサーバ２では、系統におけるすべてのソースデータを保持し、それらのデータの保守は、それぞれを所管する制御所およびメンテナンス会社の端末１４において行う。
【００７１】
さらに、メンテナンスサーバ２では画面シンボルのデータの作成を行い、それぞれの制御所の監視制御システムから、監視制御の対象とする設備を定義する画面定義情報を取得して入力する（Ｓ１０４・画面定義情報入力手段２２４）。
【００７２】
これにより、制御所の監視制御システムが監視制御の対象とする設備を知得することができる。すなわち、設備属性データについては所管する設備に限られるが、画面定義情報においては、電力系統において隣接する設備等も監視制御の対象とされるので、それらの情報を取得することができる。
【００７３】
取得した画面定義情報は制御所の単位で取得するため、これらのデータを設備ごとに集計を行う（Ｓ１０５）。これにより、個別の設備がどの制御所において監視制御の対象となっているのかを把握することができる。
【００７４】
図１０では、設備を所管する制御所については二重丸とし、所管はしていないが監視制御の対象とする制御所を一重丸で表示している。ここで、一重丸の制御所についての情報を使用先情報として検出することができる（Ｓ１０６）。
【００７５】
設備属性ＤＢ２３１では、設備名称ごとに設備の属性を管理するが、制御所ＤＢ２３２の使用先情報テーブルにおいても設備名称ごとになっており、これらのデータの関連付けを行い保存する（Ｓ１０７・設備属性入力手段２２３）。
【００７６】
関連付けされた使用先の制御所は、監視制御システムにおいて監視制御を行う設備の設備属性データが必要となる。そのため、使用先の制御所に該当する設備の設備属性データを伝送する（Ｓ１０８）。
【００７７】
これにより、設備属性データの伝送を受けた制御所の監視制御システムは、設備属性データに基づいて設備の画面シンボルの状態を出画し（Ｓ１０９）、設備の画面シンボルの状態に基づいて、遠隔監視制御装置（ＴＣ）にオペレーション信号を伝送する（Ｓ１１０）。
【００７８】
なお、ここで伝送される設備属性データに、設備を所管する制御所名等のデータを含めることで、設備属性データの伝送を受けた制御所の監視制御システムは、所管はしていないが監視制御の対象とする設備について、監視制御を行う制御所および遠隔監視制御装置（ＴＣ）等の情報を知得することができる。
【００７９】
これにより、設備属性データの伝送を受けた制御所の監視制御システムでは、所管はしていないが監視制御の対象とする設備について、たとえば所管する制御所に変更があったような場合であっても、知得した制御所および遠隔監視制御装置（ＴＣ）のデータに基づいて、正確な監視制御データを取得することができる。
【００８０】
次に、本実施形態の分散型監視制御システム１の構築後において、設備に更新があった場合のフローについて、図１２に沿って説明を行う。
図１２の例では、制御所２が所管する設備２１（５７）の工事等により、属性に変更が発生している（Ｓ２０１）。
【００８１】
制御所２の監視制御システム（５）の変更データ入力手段５２１は、管理画面において、属性に変更が発生した設備２１（５７）の変更データの入力領域を表示して設備の変更内容を入力する（Ｓ２０２）。入力された変更データは、通信ネットワーク３を介してメンテナンスサーバ２に伝送される（Ｓ２０３）。
【００８２】
伝送を受けたメンテナンスサーバ２の設備属性更新手段２２５は、記憶部２３が備える設備属性ＤＢ２３１が保持する設備２１（５７）の設備属性データを更新（未確定）する（Ｓ２０４）。更新された設備２１（５７）の設備属性データは、制御所２の監視制御システム（５）からアクセス可能となっており、管理画面に表示することができる（Ｓ２０５）。
【００８３】
制御所２の監視制御システム（５）の担当者は、更新された設備２１（５７）の設備属性データをソースデータからオブジェクトデータに変換を行う（Ｓ２０６）。その後、確認試験代替手段４２２は、変換したオブジェクトデータに、動作確認による不具合のチェック等の確認試験を行う（Ｓ２０７）。
【００８４】
すなわち、設備属性ＤＢ２３１における設備属性データは、それぞれの制御所等の監視制御システムにおいて容易に更新ができるソースデータとし、他の制御所の監視制御システムにおける監視制御データの更新は、そのシステムに適合したオブジェクトデータに変換を行った後に実行する。
【００８５】
確認試験により、オブジェクトデータが適正であるとされる場合には、確認試験の結果をメンテナンスサーバ２に伝送する（Ｓ２０８）。設備属性更新手段２２５はオブジェクトデータが適正であるとする結果を受けて、設備属性ＤＢ２３１が保持する設備２１（５７）の設備属性データの更新を確定する。その後、他の制御所等の監視制御システムに設備属性データが伝送されるが確認試験は行わない（Ｓ２０９・確認試験代替手段４２２）。
【００８６】
なお、本実施形態においては、以上の設備属性データの更新を設備属性ＤＢ２３１で管理する（図１３）。具体的には、設備２１（５７）を所管する制御所２の監視制御システム（５）から変更データの入力があった場合に、変更データに基づき設備属性データを更新するが、設備属性ＤＢ２３１には仮登録フラグを「有」に設定する。その後、制御所２の監視制御システム（５）の担当者により、更新された設備属性データに基づき確認試験が行われ、結果がメンテナンスサーバ２に送信される。結果が適正であるとする場合には、メンテナンスサーバ２は更新を確定して仮登録フラグを「無」に設定する。これにより、後述の監視制御データ更新手段２２７は、設備属性データの更新の確定、すなわち仮登録フラグの「有」から「無」への状態変化を検出することにより、データ更新ファイルの作成等を開始する。
【００８７】
メンテナンスサーバ２の使用先情報検出手段２２６は、設備属性データの更新の確定を受けて、設備２１（５７）の使用先情報として制御所１等を検出する（Ｓ２１０）。次に、監視制御データ更新手段２２７は、検出された使用先の制御所１の監視制御システム（４）等へのデータ更新ファイル（ソースデータ）を作成する（Ｓ２１１）。作成したデータ更新ファイルは、制御所１の監視制御システム（４）等に伝送される（Ｓ２１２）。
【００８８】
データ更新ファイルの伝送を受けた使用先である制御所１の監視制御システム（４）においては、データ更新ファイル実行手段４２３により、自己実行型のファイル形式であるデータ更新ファイルはオブジェクトデータに変換され（Ｓ２１３）、オブジェクトデータの切り替えを行う（Ｓ２１４）。
【００８９】
本実施形態おいては、設備属性データの更新が確定した設備について、使用先の制御所へのデータ更新ファイルの伝送までを、制御所ＤＢ２３２の使用先情報テーブルにおいて管理する（図１４）。
【００９０】
具体的には、使用先情報テーブルには設備を所管する制御所および監視制御の対象とする使用先の制御所の情報等を、設備単位で保持する。図１４では所管する制御所は二重丸で示し、監視制御の対象とする制御所等は一重丸で示している。すなわち、設備属性データが更新された設備２１（５７）は、制御所２が所管する設備であって、制御所１、制御中継所１等が監視制御を行う。
【００９１】
使用先情報検出手段２２６は一重丸で示す制御所を検出し、監視制御データ更新手段２２７により制御所のシステム種別に応じてデータ変換ファイルを生成し、所定のＩＰアドレスに伝送する。
【００９２】
以上の通り、本発明の分散型監視制御システムによれば、経費の削減および作業の負担軽減の効果に加え、データの更新作業を、設備を所管する制御所において行われることになるため、データの信頼性を確保することができる。
【００９３】
さらに、すべての処理を安全・確実、かつ迅速に行うことが可能であるため、生活のインフラである電力供給を行う電気事業者において、さらなる安定したサービスの供給が可能となる点でも大きな効果が期待できる。
【図面の簡単な説明】
【００９４】
【図１】監視制御システムにおける監視制御画面とデータとの関係を示した説明図である。
【図２】従来の方法による分散型の監視制御システムにおけるデータ更新の方法を示した図である。
【図３】従来の方法による分散型の監視制御システムにおけるデータ更新方法の業務フロー図である。
【図４】本実施形態の分散型監視制御システム１のシステム構成図である。
【図５】本実施形態の分散型監視制御システム１におけるデータ更新の方法を示した図である。
【図６】本実施形態の分散型監視制御システム１におけるデータ更新方法の業務フロー図である。
【図７】本実施形態の分散型監視制御システム１の機能ブロック図である。
【図８】本実施形態の分散型監視制御システム１における画面定義情報の構成例である。
【図９】図７の記憶部２３にある設備属性ＤＢ２３１の構成例である。
【図１０】図７の記憶部２３にある制御所ＤＢ２３２の構成例である。
【図１１】本実施形態の分散型監視制御システム１における、設備属性データベースの構築から運用までの流れを示す図である。
【図１２】本実施形態の分散型監視制御システム１における、設備属性データの更新の流れを示す図である。
【図１３】図７の記憶部２３にある設備属性ＤＢ２３１における、仮登録フラグの機能を説明する図である。
【図１４】図７の記憶部２３にある制御所ＤＢ２３２における、データ更新ファイル等の流れを説明する図である。
【符号の説明】
【００９５】
１  分散型監視制御システム
２  メンテナンスサーバ
３  通信ネットワーク
４  制御所１（監視制御システム）
５  制御所２（監視制御システム）
６、７  制御ケーブル
１１  制御所１１
１２  制御中継所１
１３  ネットワーク
１４  メンテナンス会社
２１、４１、５１  送受信部
２２、４２、５２  中央演算処理部
２３、４３、５３  記憶部
２４、４４、５４  入力部
２５、４５、５５  出力部
４６  遠隔監視制御装置（ＴＣ）１
４７  設備１１
４８  設備１２
４９  設備１３
５６  遠隔監視制御装置（ＴＣ）２
５７  設備２１
５８  設備２２
５９  設備２３
２２１  送受信処理手段
２２２  入出力処理手段
２２３  設備属性入力手段
２２４  画面定義情報入力手段
２２５  設備属性更新手段
２２６  使用先情報検出手段
２２７  監視制御データ更新手段
４２１、５２１  変更データ入力手段
４２２、５２２  確認試験代替手段
４２３、５２３  データ更新ファイル実行手段
【図７】
2010011561.tif 000003
【図８】
2010011561.tif 000004
【図９】
2010011561.tif 000005
【図１０】
2010011561.tif 000006
【図１１】
2010011561.tif 000007
【図１２】
2010011561.tif 000008
【図１３】
2010011561.tif 000009
【図１４】
2010011561.tif 000010
【図１】
2010011561.tif 000011
【図２】
2010011561.tif 000012
【図３】
2010011561.tif 000013
【図４】
2010011561.tif 000014
【図５】
2010011561.tif 000015
【図６】
2010011561.tif 000016
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
電力系統に分散して配置した制御所が所管する設備の情報を、夫々の制御所の監視制御システムとネットワークを介して接続する単一の設備属性データベースで管理する分散型監視制御システムであって、
夫々の前記制御所が所管する設備の属性データを、前記設備属性データベースに保存する設備属性入力手段と、
前記制御所の監視制御システムにおいて、該制御所が監視制御の対象とする設備の監視制御を行う監視制御画面に表示される設備の画面シンボルには、隣接する他の制御所等が所管する設備の画面シンボルも含み、夫々の前記制御所の監視制御システムから送られる画面定義情報であって、該監視制御システムの監視制御画面に表示する監視制御の対象となる設備の画面シンボルを定義する画面定義情報を受信して、該制御所と該監視制御の対象とする設備とを関連付けて保存する画面定義情報入力手段と、
夫々の前記制御所の監視制御システムから受信した画面定義情報に基づき、個別の設備がどの制御所の監視制御の対象になっているのかを特定する使用先情報検出手段と、
設備の属性の変更情報を受信して、前記設備属性データベースが保持する該設備の属性データを更新する設備属性更新手段と、
前記使用先情報から、該設備属性データが更新された設備を監視制御の対象とする制御所を特定して、更新された該設備属性データベースの設備属性データに基づき、該制御所の監視制御システムの監視制御画面の表示に用いるデータベースを更新するデータ更新ファイルを生成して、該制御所の監視制御システムに伝送する監視制御データ更新手段と、
を備えることを特徴とする分散型監視制御システム。
【請求項２】
前記設備属性入力手段は、夫々の制御所が所管する設備の属性データを、該制御所と関連付けて前記設備属性データベースに保存し、
前記設備属性更新手段は、該設備を所管する制御所の監視制御システムから受信した変更情報に基づき、前記設備属性データベースの該設備の設備属性データを更新した後、更新された該設備属性データベースの設備属性データに基づき、該設備を所管する制御所の監視制御システムの前記監視制御画面の表示に用いるデータベースを更新し、
前記監視制御データ更新手段は、前記使用先情報と前記設備属性データベースとに基づき、該設備属性データが更新された設備を監視制御の対象とする制御所であって、該設備を所管しない制御所の監視制御システムに対し、該監視制御システムの前記監視制御画面の表示に用いるデータベースを更新するデータ更新ファイルを生成して伝送することを特徴とする請求項１記載の分散型監視制御システム。
【請求項３】
前記監視制御データ更新手段により伝送されるデータ更新ファイルは自己実行型のファイルであって、伝送された制御所の監視制御システムにおいて、該データ更新ファイルの自己実行により、該監視制御システムの監視制御画面の表示に用いるオブジェクトデータを更新することを特徴とする請求項１又は２記載の分散型監視制御システム。
【請求項４】
属性に変更があった設備を監視制御の対象とする制御所の監視制御システムにおける、該監視制御システムの前記監視制御画面の表示に用いるデータベースの更新において、該監視制御システムに代替して確認試験を実行する確認試験代替手段を備え、
前記監視制御データ更新手段によるデータ更新ファイルの伝送は、該確認試験の実行後に行うことを特徴とする請求項１乃至３のいずれか一に記載の分散型監視制御システム。
【請求項５】
前記確認試験代替手段による確認試験は、前記設備属性更新手段により更新された前記設備属性データベースにおける設備属性データを、ソースデータからオブジェクトデータに変換した後に行うことを特徴とする請求項１乃至４のいずれか一に記載の分散型監視制御システム。
【請求項６】
請求項１乃至５のいずれか一に記載の分散型監視制御システムにおけるデータの更新方法であって、
夫々の制御所が所管する設備の属性データを、単一の設備属性データベースに保存するステップと、
前記制御所の監視制御システムにおいて、該制御所が監視制御の対象とする設備の監視制御を行う監視制御画面に表示される設備の画面シンボルには、隣接する他の制御所等が所管する設備の画面シンボルも含み、夫々の制御所の監視制御システムから、該監視制御システムの監視制御画面に表示する監視制御の対象となる設備の画面シンボルを定義する画面定義情報を受信して、該制御所と該監視制御の対象とする設備とを関連付けて保存するステップと、
夫々の前記制御所の監視制御システムから受信した画面定義情報に基づき、個別の設備がどの制御所の監視制御の対象になっているのかを特定するステップと、
設備の属性の変更情報を受信して、前記設備属性データベースにおける該設備の属性データを更新するステップと、
前記使用先情報から、該設備属性データが更新された設備を監視制御の対象とする制御所を特定して、更新された該設備属性データベースの設備属性データに基づき、該制御所の監視制御システムの監視制御画面の表示に用いるデータベースを更新するデータ更新ファイルを生成して、該制御所の監視制御システムに伝送するステップと、
を有することを特徴とする分散型監視制御システムのデータの更新方法。
【手続補正２】
【補正対象書類名】明細書
【補正対象項目名】００９１
【補正方法】変更
【補正の内容】
【００９１】
使用先情報検出手段２２６は一重丸で示す制御所を検出し、監視制御データ更新手段２２７により制御所のシステム種別に応じてデータ更新ファイルを生成し、所定のＩＰアドレスに伝送する。
【手続補正書】
【提出日】平成21年8月7日(2009.8.7)
【手続補正１】
【補正対象書類名】特許請求の範囲
【補正対象項目名】請求項５
【補正方法】変更
【補正の内容】
【請求項５】
前記確認試験代替手段による確認試験は、前記設備属性更新手段により更新された前記設備属性データベースにおける設備属性データを、ソースデータからオブジェクトデータに変換した後に行うことを特徴とする請求項４記載の分散型監視制御システム。
【手続補正２】
【補正対象書類名】特許請求の範囲
【補正対象項目名】請求項６
【補正方法】変更
【補正の内容】
【請求項６】
請求項１乃至５のいずれか一に記載の分散型監視制御システムにおけるデータの更新方法であって、
夫々の制御所が所管する設備の属性データを、単一の設備属性データベースに保存するステップと、
前記制御所の監視制御システムにおいて、該制御所が監視制御の対象とする設備の監視制御を行う監視制御画面に表示される設備の画面シンボルには、隣接する他の制御所等が所管する設備の画面シンボルも含み、夫々の制御所の監視制御システムから、該監視制御システムの監視制御画面に表示する監視制御の対象となる設備の画面シンボルを定義する画面定義情報を受信して、該制御所と該監視制御の対象とする設備とを関連付けて保存するステップと、
夫々の前記制御所の監視制御システムから受信した画面定義情報に基づき、個別の設備がどの制御所の監視制御の対象になっているのかを特定する使用先情報を検出するステップと、
設備の属性の変更情報を受信して、前記設備属性データベースにおける該設備の属性データを更新するステップと、
前記使用先情報から、該設備属性データが更新された設備を監視制御の対象とする制御所を特定して、更新された該設備属性データベースの設備属性データに基づき、該制御所の監視制御システムの監視制御画面の表示に用いるデータベースを更新するデータ更新ファイルを生成して、該制御所の監視制御システムに伝送するステップと、
を有することを特徴とする分散型監視制御システムのデータの更新方法。
【手続補正３】
【補正対象書類名】特許請求の範囲
【補正対象項目名】請求項１
【補正方法】変更
【補正の内容】
【請求項１】
電力系統に分散して配置した制御所が所管する設備の情報を、夫々の制御所の監視制御システムとネットワークを介して接続する単一の設備属性データベースで管理する分散型監視制御システムであって、
夫々の前記制御所が所管する設備の属性データを、前記設備属性データベースに保存する設備属性入力手段と、
前記制御所の監視制御システムにおいて、該制御所が監視制御の対象とする設備の監視制御を行う監視制御画面に表示される設備の画面シンボルには、隣接する他の制御所等が所管する設備の画面シンボルも含み、夫々の前記制御所の監視制御システムから送られる画面定義情報であって、該監視制御システムの監視制御画面に表示する監視制御の対象となる設備の画面シンボルを定義する画面定義情報を受信して、該制御所と該監視制御の対象とする設備とを関連付けて保存する画面定義情報入力手段と、
夫々の前記制御所の監視制御システムから受信した画面定義情報に基づき、個別の設備がどの制御所の監視制御の対象になっているのかを特定する使用先情報を検出する使用先情報検出手段と、
設備の属性の変更情報を受信して、前記設備属性データベースが保持する該設備の属性データを更新する設備属性更新手段と、
前記使用先情報から、該設備属性データが更新された設備を監視制御の対象とする制御所を特定して、更新された該設備属性データベースの設備属性データに基づき、該制御所の監視制御システムの監視制御画面の表示に用いるデータベースを更新するデータ更新ファイルを生成して、該制御所の監視制御システムに伝送する監視制御データ更新手段と、
を備えることを特徴とする分散型監視制御システム。